(57)【特許請求の範囲】
【請求項１】
高温ガスを発生させる燃焼工程から、データ収集を行うための方法であって、
この方法が以下の工程、すなわち
−  高温ガス内の複数の体積部（１６）を通る光線（１２）を、レンズ（１９）の光軸（１９ａ）に対して予め定められた角度（Ａ）で案内する工程と、
−  前記レンズ（１９）によって、光線（１２）が各体積部（１６）を通過した際に各体積部（１６）で放出される散乱光（１５）のうち、前記光軸（１９ａ）に平行な方向へ伝播する散乱光（１５）だけ選択する工程と、
−  前記レンズ（１９）によって選択された、予め定められた方向への散乱光（１５）を示す信号を検出する工程と、
−  高温ガスの吸収スペクトルを得るために検出される信号を処理する工程と、
−  燃焼工程を示すデータを得るために、前記吸収スペクトルを処理する工程と、を備え、
前記検出を、少なくとも一つの検出器（１３）を介して行い、
検出時に、前記少なくとも一つの検出器（１３）に近い体積部（１６）から、およびさらに遠い体積部から散乱される散乱光（１５）が検出され、
処理時に、少なくとも一つの光源（１１）からさらに遠い体積部（１６）からの燃焼過程を示すデータが、光源（１１）により近い体積部（１６）からの燃焼過程を示すデータに基づいて計算されることを特徴とする方法。
【請求項２】
前記予め定められた角度（Ａ）が、４０゜よりも小さいことを特徴とする請求項１に記載の方法。
【請求項３】
前記予め定められた角度（Ａ）が１５〜２５゜であることを特徴とする請求項２に記載の方法。
【請求項４】
燃焼過程を示すデータが、温度および／または圧力および／または濃度および／または組成を含むことを特徴とする請求項１に記載の方法。
【請求項５】
選定された分子に関する分子吸収スペクトルを提供し、
選定されたガス成分の濃度を示すデータを得るために吸収スペクトルを処理することが、吸収スペクトルを分子吸収スペクトルと比べることを含むことを特徴とする請求項４に記載の方法。
【請求項６】
光線が、特定の周波数で少なくとも一つの成分を有しており、この成分が、最小波長と最大波長の間で連続的に同調されることを特徴とする請求項１に記載の方法。
【請求項７】
光線（１２）が複数の成分を備えており、各々が特定の周波数を有することを特徴とする請求項１に記載の方法。
【請求項８】
光線（１２）がレーザ光線であることを特徴とする請求項１に記載の方法。
【請求項９】
燃焼がガスタービン燃焼室（１）内で起こることを特徴とする請求項１に記載の方法。
【発明の詳細な説明】
【技術分野】
【０００１】
本発明は、データ取得方法に関する。特に、この方法はガスタービンの燃焼室内で起る燃焼過程を示すデータに役立つ。
【背景技術】
【０００２】
ガスタービンの開発時および運転時に、燃焼室内で起こる燃焼過程を示す数多くのデータを集めなければならない。例えばデータとは、温度および圧力、組成等などの他のデータを含んでいる。
【０００３】
通常、温度は燃焼室内に導入される熱電対アレーを使用して集められる（出口に対して閉鎖されている。）。
【０００４】
これらの熱電対アレーは、精密な測定を保証しない。その理由は、実際に提供される熱電対の数量が限られていることと、圧力により生じる流れへの妨害が生じることにある。
【０００５】
加えて、これらの熱電対アレーによってしか、温度測定を行うことができない。他の適切なデータの測定を行うためには、別の適切なセンサを備える必要がある。
【０００６】
特許文献１には、燃焼過程を監視し、かつ制御するための方法が開示されている。この方法によれば、レーザ光線は、燃焼室の外側ケーシングから送られ、燃焼室の内側ケーシングから反射される。従って、この反射光は検出され、かつ処理される。
【０００７】
この方法によれば、内側と外側のケーシングの間の通路全体に関係する累積データを検出することができるが、特定の体積（すなわち、内側と外側のケーシングの間の特定の体積）に関するデータは得られない。
【先行技術文献】
【特許文献】
【０００８】
【特許文献１】米国特許出願公開２００８／０２８９３４２第号明細書
【発明の概要】
【発明が解決しようとする課題】
【０００９】
開示の態様は、特定の体積の測定が実施できる方法を提供することにある。
【００１０】
開示の他の態様は、精密な測定は、例えば燃焼室出口での温度分布を得るために行うことができる方法を提示することを含んでいる。
【００１１】
開示の他の態様は、数多くの異なるデータ（すなわち、温度だけではない）の測定ができる方法を提示することである。例えば、これらの別のデータとは、圧力、濃度および組成を含む。
【００１２】
これら及び他の態様は、従属請求項による方法を提供することにより達せられる。
【００１３】
その他の特徴及び長所は、図における限定していない例により図示された、好ましいが非排他的方法の実施例の説明から明らかである。
【図面の簡単な説明】
【００１４】
【図１】ガスタービン燃焼室に接続された装置の概略図である。
【図２】コリメータレンズの方へ案内される、特殊な散乱光を示す図である。
【図３】異なる検出器の概略図である。
【図４】異なる検出器の概略図である。
【図５】レーザ光を形成している一つの構成部品の、波長（λ）と時間の関係を示す図である。
【図６】図５のレーザ光から出る散乱光の一つの構成部品の、波長（λ）と時間の関係を示す図である。
【図７】図５のレーザ構成部品が通過する、媒体（高温ガス）の吸収（波長（λ）と時間の関係）を示す図である。
【図８】レーザ光を形成している複数の構成部品の波長（λ）と時間の関係を示す図である。
【図９】レーザ光源の実例を示す図である。
【図１０】レーザ光の詳細を示す図である。
【発明を実施するための形態】
【実施例】
【００１５】
以下に、データ取得用の装置を最初に説明する。
【００１６】
図１にはガスタービンの燃焼室１とガスタービンの燃焼室の運転下流側の高圧タービン段が示してある。燃焼室１内では、空気と燃料が注入され、かつ燃焼して、タービン段２へ案内される高温ガスを生成する。
【００１７】
燃焼室１は外側ケーシング３と内側ケーシング４を備えている。装置１０は外側ケーシング３に接続しているのが好ましい。いずれにしても、装置１０は内側ケーシング４にも接続している。
【００１８】
装置１０は、燃焼時に生じる高温ガスを通る光線１２を案内するための（レーザ光源などの）光線源１１を備えている。光線源１１の波長は、同調可能であるのが好ましい。
【００１９】
例えば、光線源１１は複数のレーザダイオード１１ａ〜ｄを備えていてもよく、各々は所定の周波数でレーザ光線１２ａを発生させる（図９）。各レーザダイオードは、予め決められた周波数で作動し、かつ最小波長と最大波長の間で同調可能である。この点で、図５は、一つのレーザダイオードにより放出される発光の一例を示しており、このレーザダイオードは、所定の周波数ｆで作動し、かつ波長λｍａｘとλｍｉｎの間で同調可能である。
【００２０】
各レーザダイオード１１ａ〜ｄにより発生したレーザ光線１２ａは、混ぜ合わされて、燃焼室１内に案内されるレーザ光線１２を発生させる。この点で、図８は複数の同調可能なレーザダイオード１１ａ〜ｄにより放出された発光の一例を示しており、各々所定の周波数で作動している。
【００２１】
レーザダイオードの代わりに、何れの他の種類のレーザ源を使用できるのは当然である。
【００２２】
装置１０は、光線１２がそこを通って通過する高温ガス容積１６により、所定の方向に放出された散乱光１５を指示する信号の、一つあるいはそれより多くの検出器を備えている。
【００２３】
さらに装置１０は、高温ガスの吸収スペクトルを得るために、検出された信号を処理するための処理ユニット１７も備えている。処理ユニットはコンピュータであってもよく、ヘテロダイン法に従って作動させるのが好ましい。
【００２４】
散乱光１５の方向を選択するためのコリメータレンズ１９が設けられているのが有利である。コリメータレンズ１９は、外側ケーシング３内の窓に面しており、かつ光学信号を検出器１３に提供する。コリメータレンズ１９は、非球面レンズから成る。
【００２５】
加えて、光ファイバ（例えば多目的光ファイバ）２０は、コリメータレンズ１９と検出器１３の間に設けられている（いずれにせよ、この特徴は必要ではない）。
【００２６】
図４は、光ファイバ２０が一列の検出器１３に接続している一例を示す。
【００２７】
図３は、光ファイバ２０が、ＭＥＭ素子（微小電気機械素子）、電気光学変調器あるいは他の素子のような光スイッチ２１、従って検出器１３に接続している別の例を示す。
【００２８】
コリメータレンズ１９と光ファイバ２０がどちらも設けられていると、光ファイバの端部２０ａは、レンズ１９の焦点に位置決めされる。対照的に、コリメータレンズ１９が設けられると（しかし、光ファイバ２０は設けられていない）、検出器１３あるいは光スイッチ２１は、レンズ１９の焦点に位置している。
【００２９】
素子の作動は以下の通りである。
【００３０】
レーザ源１１はレーザ光線１２（その特徴は例えば図に示してある）を発生させ、このレーザ光線は燃焼室１を通過し、高温ガスは燃焼室を貫流する。レーザ源１１は、レーザ光線１２の周波数が連続的に変化するように連続的に同調される（図５はレーザ光線１２の特定の周波数での単一の構成部品を示す）。
【００３１】
レーザ光線１２が各体積１６を通過すると、レーザ光線は体積１６内に含まれる物質によりその一部が吸収される（図６は図９の構成部品に関する吸収を示す）。
【００３２】
次いで、各体積１６は全方向に散乱光１５を再放出する。従って、散乱光１Ｔ５の一部はレンズ１９の方へ向かう。
【００３３】
散乱光１５がレンズ１９に達すると、レンズ１９の光軸１９ａに対して平行な方向へ伝播する光線だけが、レンズ１９を通過する。光軸１９ａに対して平行な方向へ伝播しない散乱光１５は、光ファイバ２０の端部２０ａに集束し、光スイッチ２１あるいは検出器１６が位置するレンズ１９の焦点には合わない。この理由で、散乱光は検出されない。特定の方向に伝播する散乱光１５だけが検出されるので、特定の局所情報が検出でき、温度分布（あるいは他の特徴）は再編成することができる。
【００３４】
図４の実施例で、散乱光１５を示す信号は、検出器１３の各々に連続的に達するが、一方、図３の実施例では、一つの信号は一度に検出器１３に達する。
【００３５】
散乱光１５を示すこれらの信号は、検出器１３で電気信号に変換される。従って、これらの電気信号は処理ユニット１７に供給される。処理ユニットは、周波数成分を互いから分離し、かつ各検出器１３あるいは光ファイバに面している各体積１６に関する高温ガスの吸収スペクトルを再構成するために、（ヘテロダイン法に従って）信号を作る。
【００３６】
放出されるレーザ光線１２の波長は公知なので、各周波数で吸収を確かめることが可能であり、従って高温ガスの特徴を確かめることが可能である。図７は図５のレーザ構成部品の周波数での高温ガスの吸収を示す。
【００３７】
以下に、高温ガスを発生させる燃焼工程からのデータ取得の方法を説明する。
【００３８】
この方法は高温ガスを通過する光線１２を案内する工程を備えている。光線１２は異なる周波数で一つあるいはそれより多くの構成部品を有するレーザ光線であり、これらの構成部品は、最小波長と最大波長の間で同調されるのが好ましい。これらの最小波長と最大波長は、検出されねばならない煙道ガスの成分（例えば一酸化炭素、二酸化炭素、一酸化窒素、二酸化窒素等）に従って選定することができる。
【００３９】
本方法は、光線１２が通過する各高温ガス体積１６のための光線１２の方向に対して０°よりも大きい角度を有する予め定められた方向で、散乱光１５を示す信号を検出する工程と、高温ガス吸収スペクトルを得るために検出された信号を処理する工程を備えている。
【００４０】
従って、吸収スペクトルは、選定されたガス成分あるいは異なる特徴の、温度および／または圧力および／または組成および／または濃度などの燃焼過程を示すデータを得るために処理される。この詳細（elaboration）は、従来技術において良く知られている（同調可能なダイオードレーザ吸収分光法、ＴＤＬＡＳ）。
【００４１】
光線１２は、レンズ１９の光軸に対して予め決められた角度Ａで放出される。予め決められた角度Ａは、４０°より小さく、０より大きいのが好ましく、さらに１５〜２５°であるのが好ましい。これによりコンパクトな配設が得られ、いずれにしても、難しい角度も可能になる。
【００４２】
検出時、体積１６からさらに近くか、さらに遠い体積１６からの散乱光１５が検出される。処理時に、光源１１からさらに遠い体積１６からの燃焼過程を示すデータは、光源１１に近い体積１６からの燃焼過程を示すデータに基づいて計算される。
【００４３】
言い換えると、適切な体積１６を通過するレーザ光線１２の一部はすでに減衰されるので、体積からの信号は、適切な体積１６での条件の平均を示し、さらにレーザ光線１２がすでに通過した他の体積１６の全てにおける条件の平均も示す。従って、適切な体積ｋでの実際の条件を計算することができる（ケーシングに隣接した第一の体積からの光線１２は以前の吸収を有しておらず、かつ計算を必要としないのが当然である）。
【００４４】
例えば（図１０）、体積ｋ−１における場合、Ｔ＝１８３０Ｋの温度が計算され、体積ｋでは、温度Ｔ＝１８２０Ｋが計算される。体積ｋでの実際の温度は、１８２０×２−１８３＝１８１０Ｋである。
【００４５】
レーザ源１１を担持するケーシングに隣接した体積ｋ０で、１８３０Ｋの温度が測定されると、これは実際にこの体積での温度である。
【００４６】
一実施例によれば、光線１２が通過する高温ガスの体積は、光線１２の方向で、不連続の高温ガス体積１６内にほぼ分離できる。不連続の高温ガス体積１６は、コリメータレンズ１９の部分および／またはセンサ１３に通じる光ファイバ２０に相互関連される。
【００４７】
このようにして、温度、圧力、組成などの異なるデータが確定できる。加えて、データは燃焼室内では選定された体積を意味するので、温度分布などの極めて特定の情報も確定できる。
【００４８】
例えば、選定されたガス成分の濃度を確定するために、選定された分子に関する分子吸収スペクトルを提供することができ、濃度を示すデータを得るために吸収スペクトルを作ることは、吸収スペクトルを分子吸収スペクトルと比べることを含んでいる。
【００４９】
説明した特徴は、互いに独立して規定されているのは当然である。
【００５０】
実際、使用される材料と寸法は、要求と最新技術に従って随意に選択できる。
【符号の説明】
【００５１】
１      燃焼室
２      タービン段
３      外側ケーシング
４      内側ケーシング
１０    装置
１１，１１ａ−ｄ  光源
１２，１２ａ      光線
１３    検出器
１５    散乱光
１６    体積
１７    処理ユニット
１９    コリメータレンズ
１９ａ  光軸
２０    光ファイバ
２０ａ  光ファイバの端部
２１    光スイッチ
ｆ      周波数
ｋ，ｋ０，ｋ−１  異なる位置での体積
ｔ      時間
Ａ      角度
λ，λｍａｘ，λｍｉｎ  波長
【図１】
0005721684.tif 000002
【図２】
0005721684.tif 000003
【図３】
0005721684.tif 000004
【図４】
0005721684.tif 000005
【図５】
0005721684.tif 000006
【図６】
0005721684.tif 000007
【図７】
0005721684.tif 000008
【図８】
0005721684.tif 000009
【図９】
0005721684.tif 000010
【図１０】
0005721684.tif 000011